(57)【要約】      （修正有）【課題】蒸発コイルを廃止し、冷却ユニットのコンパクト化、低コスト化そして防音を図る。【解決手段】圧縮機１０２周囲に取付けたガイド１０１ａとドレーン水を吸上げるウォータシート１０６ａを備え、ガイド１０１ａにより圧縮機１０２の排熱をウォータシート１０６ａに吹き当てることより、ドレーン水の温度が上がり、ウォータシート１０６ａ表面の湿度が下がることとなり、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。【選択図】図１
2008217551.tif 000002
【特許請求の範囲】
【請求項１】
自動販売機本体下部の機械室内の圧縮機周囲に取付けた風路規制部と収納庫内に発生したドレーン水を吸上げる蒸発部材を含むドレーン水蒸発装置とを備え、前記ドレーン水蒸発装置は前記風路規制部により前記圧縮機の排熱を前記蒸発部材又は前記ドレーン水を入れる蒸発皿に吹き当て、ドレーン水を蒸発させることを特徴とした自動販売機のドレーン水蒸発装置。
【請求項２】
前記蒸発皿が前記圧縮機の後方にある自動販売機において、前記風路規制部を、前記圧縮機上部に取付けたことを特徴とした請求項１に記載の自動販売機のドレーン水蒸発装置。
【請求項３】
前記蒸発皿が前記圧縮機の横方向にある自動販売機において、前記風路規制部を、前記圧縮機上部及び側面に取付けたことを特徴とした請求項１に記載の自動販売機のドレーン水蒸発装置。
【請求項４】
前記蒸発部材を、前記ドレーン水を溜める前記蒸発皿の長手方向に沿って取付けたことを特徴とした請求項２または３に記載の自動販売機のドレーン水蒸発装置。
【請求項５】
前記蒸発部材を、前記蒸発皿に前記風路規制部からの熱風の進行方向に沿って取付けたことを特徴とした請求項２または３に記載の自動販売機のドレーン水蒸発装置。
【請求項６】
前記蒸発部材を、前記蒸発皿の側面又は前記蒸発皿に取付けた支持部に押圧力がかかるよう前記蒸発皿に取付けたことを特徴とした請求項１に記載の自動販売機のドレーン水蒸発装置。
【請求項７】
前記蒸発部材を、前記蒸発皿の側面又は前記蒸発皿に取付けた支持部の長手方向全体に押圧力がかかるよう前記蒸発皿に取付けたことを特徴とした請求項６に記載の自動販売機のドレーン水蒸発装置。
【請求項８】
前記蒸発部材を、前記蒸発皿の側面又は前記蒸発皿に取付けた支持部の長手方向の両端に押圧力がかかるよう前記蒸発皿に取付けたことを特徴とした請求項６に記載の自動販売機のドレーン水蒸発装置。
【請求項９】
前記蒸発部材を、前記蒸発皿の側面又は前記蒸発皿に取付けた支持部の長手方向の一端に押圧力がかかるよう前記蒸発皿に取付けたことを特徴とした請求項６に記載の自動販売機のドレーン水蒸発装置。
【発明の詳細な説明】
【技術分野】
【０００１】
本発明はコールド商品を販売する自動販売機で発生したドレーン水を蒸発することとした自動販売機のドレーン水蒸発装置に関するものである。
【背景技術】
【０００２】
従来、この種の自動販売機のドレーン水蒸発装置は冷却器内蔵の商品収納庫内に生じたドレーン水を商品収納庫から排出して下部の機械室内に配置した蒸発皿に導き、この蒸発皿内に配管した蒸発パイプに高温冷媒ガスを流してドレーン水を加熱，蒸発させるようにした自動販売機のドレーン水処理装置において、蒸発皿に通じるドレーン水の流下通路の途中に吸水性のある蒸発シートを布設し、ドレーン水の一部を蒸発皿に至る手前で前記蒸発シートが吸い取ってその表面から周囲に蒸発放散させるようにするものとし、具体的には蒸発シートの上端をドレーン水排出口に固定し、下端を蒸発皿の中に垂らして吊り下げて設置している（例えば、特許文献１参照）。
【０００３】
図１２は、特許文献１に記載された従来の自動販売機のドレーン水蒸発装置を示すものである。図１２に示すように、１２は商品収納庫１３の底部と機械室５との間を仕切る断熱壁であり、断熱壁１２を貫通して機械室５に引出した排水管１０がその下方に敷設した排水樋９に向けて開口しており、該排水樋９に開けた排水口９ａを通じて機械室内に配置した蒸発皿８にドレーン水を導くようにしている。そして、排水樋９の排水口９ａから蒸発皿８に至るドレーン水の排水通路に蒸発シート１４が新たに配置されている。この蒸発シート１４は吸水性のある布を例えば筒状にして作られたものであり、その上端を排水樋９の排水口９ａに固定し、下端を蒸発皿８の中に垂らしておく。
【０００４】
以上のように構成された自動販売機のドレーン水蒸発装置について、以下その動作を説明する。
【０００５】
まず、商品収納庫１３の庫内に発生したドレーン水は、排水管１０，排水樋９の排水口９ａを通じて蒸発皿８へ流下する途上で蒸発シート１４に浸透し、蒸発コイル６ｇによりドレーン水の温度を上げ、蒸発シート１４に吹き当てた排気ファンの風によりドレーン水の一部が蒸発シート１４の表面から蒸発して周囲に放散される。
【特許文献１】特開平１１−２５０３３０号公報
【発明の開示】
【発明が解決しようとする課題】
【０００６】
しかしながら、上記従来の構成では、ドレーン水の蒸発を促すために、ドレーン水の温度を上げるための蒸発コイル６ｇを用いていた。しかし、蒸発コイル６ｇはドレーン水の蒸発を促進するためだけに使用されており、付加価値が少ない割にコストが高いという課題を有していた。また、蒸発コイル６ｇは寸法が大きいため、蒸発シート１４の取付けが規制され、ドレーン水の蒸発を促進する形状の蒸発シート１４を使用できないという課題も有していた。さらに、蒸発コイル６ｇの振動により騒音が発生するという課題も有していた。
【０００７】
本発明は、上記従来の課題を解決するもので、蒸発コイル６ｇ無しで従来と同等以上のドレーン水蒸発能力を確保することで、蒸発コイル６ｇ廃止による冷却ユニットのコンパクト化・低コスト化・防音を実現することとした自動販売機のドレーン水蒸発装置を提供することを目的とする。
【課題を解決するための手段】
【０００８】
上記従来の課題を解決するために、本発明の自動販売機のドレーン水蒸発装置は、圧縮機周囲に取付けた風路規制部と収納庫内に発生したドレーン水を吸上げる蒸発部材を含むドレーン水蒸発装置とを備え、ドレーン水蒸発装置は前記風路規制部により前記圧縮機の排熱を前記蒸発部材に吹き当て、前記蒸発部材が吸上げたドレーン水を蒸発することとしたものである。
【０００９】
これによって、ドレーン水の温度を上昇させ、ウォータシート表面の湿度を下げることで、従来と同等以上の蒸発能力を確保しながら蒸発コイルを取り除くことが可能となる。
【００１０】
また、本発明の自動販売機のドレーン水蒸発装置は、蒸発部材を、蒸発皿の長手方向と風路規制部からの熱風の進行方向に沿って取付けたこととしたものである。
【００１１】
これによって、蒸発部材が固定されるため倒れることを防止することとなる。
【発明の効果】
【００１２】
本発明の自動販売機のドレーン水蒸発装置は、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。
【００１３】
また、本発明の自動販売機のドレーン水蒸発装置は、蒸発部材が倒れることを防止でき、常に蒸発部材がドレーン水を吸上げることができる。
【発明を実施するための最良の形態】
【００１４】
請求項１に記載の発明は、自動販売機本体下部の機械室内の圧縮機周囲に取付けた風路規制部と収納庫内に発生したドレーン水を吸上げる蒸発部材を含むドレーン水蒸発装置とを備え、前記ドレーン水蒸発装置は前記風路規制部により前記圧縮機の排熱を前記蒸発部材又は前記ドレーン水を入れる蒸発皿に吹き当てることより、ドレーン水の温度が上がり、前記蒸発部材表面の湿度が下がることとなり、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。
【００１５】
請求項２に記載の発明は、前記蒸発皿が前記圧縮機の後方にある自動販売機において、請求項１に記載の発明の前記風路規制部を、前記圧縮機上部にのみ取付けたことにより、ドレーン水の温度が上がり、前記蒸発部材表面の湿度が下がることとなり、よりコンパクトな構造で、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。
【００１６】
請求項３に記載の発明は、前記蒸発皿が前記圧縮機の横方向にある自動販売機において、請求項１に記載の発明の前記風路規制部を、前記圧縮機上部及び側面に取付けたことより、前記蒸発部材へ熱風を送ることが困難な構造である場合のときも、ドレーン水の温度が上がり、前記蒸発部材表面の湿度が下がることとなり、従来と同等以上の蒸発能力を確保しながら蒸発コイルを取り除くことができるので、冷却ユニットの構造がコンパクトになるだけでなく、蒸発コイルの分だけコストを下げることができる。そして、蒸発コイルの振動による騒音もなくすことができる。さらに、前記蒸発皿の位置が変わった場合、つまりより広範囲で以上の効果を実現できる。
【００１７】
請求項４に記載の発明は、請求項２または３に記載の発明の前記蒸発部材を、前記ドレーン水を溜める前記蒸発皿の長手方向に沿って取付けたことにより、より多くの熱風が前記蒸発部材に吹き当たることとなり、常に前記蒸発部材の表面をドレーン水が蒸発し易い低湿の状態にすることができる。
【００１８】
請求項５に記載の発明は、請求項２または３に記載の発明の前記蒸発部材を、前記蒸発皿に前記風路規制部からの熱風の進行方向に沿って取付けたことにより、前記蒸発部材付近で熱風が滞留することなくスムーズに吹き抜けることとなり、より一層前記蒸発部材の表面をドレーン水が蒸発し易い低湿の状態にすることができる。
【００１９】
請求項６に記載の発明は、請求項１に記載の発明の前記蒸発部材を、前記蒸発皿の側面又は前記蒸発皿に取付けた支持部に押圧力がかかるよう前記蒸発皿に取付けたことにより、前記蒸発部材は前記蒸発皿の側面から反発力を受け、前記蒸発皿に取付けた支持部の方向へ押圧力を加えるので、前記蒸発部材が倒れることによる熱風との接触面積減少を防止でき、常に一定の蒸発能力を確保できる。
【００２０】
請求項７に記載の発明は、請求項６に記載の発明の前記蒸発部材を、前記蒸発皿の側面又は前記蒸発皿に取付けた支持部の長手方向全体に押圧力がかかるよう前記蒸発皿に取付けたことにより、前記蒸発部材は前記蒸発皿の側面から反発力を受け、前記蒸発皿に取付けた支持部の全体方向へ押圧力を加えるので、前記蒸発部材が倒れることによる熱風との接触面積減少を防止でき、常に一定の蒸発能力を確保できる。
【００２１】
請求項８に記載の発明は、請求項６に記載の発明の前記蒸発部材を、前記蒸発皿の側面又は前記蒸発皿に取付けた支持部の長手方向の両端に押圧力がかかるよう前記蒸発皿に取付けたことにより、前記蒸発部材は前記蒸発皿の側面から反発力を受け、前記蒸発皿に取付けた支持部の両端方向へ押圧力を加えるので、前記蒸発部材が倒れることによる熱風との接触面積減少を防止でき、常に一定の蒸発能力を確保できる。さらに、少量の前記蒸発部材で同様の効果が得られるため、低コストで前記蒸発部材が倒れることを防止できる。
【００２２】
請求項９に記載の発明は、請求項６に記載の発明の前記蒸発部材を、前記蒸発皿の側面又は前記蒸発皿に取付けた支持部の長手方向の一端に押圧力がかかるよう前記蒸発皿に取付けたことにより、前記蒸発部材に沿って熱風が対流するので、前記蒸発部材が倒れることを防止できるだけでなく、効率的に前記蒸発部材に吹き当たった熱風を排気することができる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１、図５は、本発明の実施の形態１における自動販売機のドレーン水蒸発装置の構成図である。
【００２５】
図２は、本発明の実施の形態１における自動販売機のドレーン水蒸発装置の構成図の右側面図である。
【００２６】
図３は、本発明の実施の形態１における自動販売機のドレーン水蒸発装置の風路規制部と蒸発皿との位置関係図である。
【００２７】
図４、図７は、本発明の実施の形態１における自動販売機のドレーン水蒸発装置の蒸発部材の外形図である。
【００２８】
図６は、本発明の実施の形態１における自動販売機のドレーン水蒸発装置の取付け図である。
【００２９】
まず、風路規制部について説明する。図１より、ガイド１０１ａ（風路規制部）が圧縮機１０２を囲う様に取付ける。具体的に、図２より、コンデンサファン１０３上部から圧縮機１０２上部を経てコンデンサファン１０３と反対方向の圧縮機１０２側面までガイド１０１ａを取付ける。そして、蒸発皿１０５と反対方向の圧縮機１０２側面も同様にガイド１０１ａを取付ける。このとき、圧縮機１０２側面のガイド１０１ａが圧縮機１０２を覆う範囲はこれに限定されるものではない。また、図３より、ガイド１０１ａの先端が蒸発皿１０５の長手方向に沿った一端（圧縮機１０２から離れている一端）に向くようにする。
【００３０】
次に、蒸発部材の蒸発皿１０５への取付けについて説明する。図１より、ウォータシート１０６ａ（蒸発部材）を蒸発皿１０５の横方向の中間に、長手方向（縦方向）に沿って一端からもう一端まで取り付ける。そして、図３より、ウォータシート１０６ａの高さはガイド１０１ａより低くする。ここで、ウォータシート１０６ａの取付け位置は蒸発皿１０５の横方向の中間だけに限定されるものではない。また、ウォータシート１０６ａを複数使用して、蒸発皿１０５の横方向の中間以外に取付けてもよい。
【００３１】
そして、蒸発部材の形状・材質について説明する。図４より、ウォータシート１０６ａの形状は、表面積の大きい扇形で、ウォータシート１０６ａには複数の穴１０７を設けて通気性をよくしている。また、材質は繊維、例えば加工に優れた紙がある。
【００３２】
以上のように構成された自動販売機のドレーン水蒸発装置について、以下その動作、作用を説明する。
【００３３】
まず、図１より、コンデンサファン１０３からの風は圧縮機１０２に吹き当り、高温となった圧縮機１０２表面から熱を奪い熱風となる。そして、この熱風は圧縮機１０２を吹き抜けた後、ガイド１０１ａを沿いながら蒸発皿１０５の方向へ対流する。次に、図３より、ガイド１０１ａによる風向規制により熱風は蒸発皿１０５全体に行き渡る。そのことで、ウォータシート１０６ａ表面の水蒸気が取り除かれて付近の湿度が低くなり、さらにドレーン水１０８が熱風から熱を奪うことで水温が上昇する。
【００３４】
よって、水温が高く・周囲の湿度が低い方が水は蒸発しやすいことより、ドレーン水１０８の蒸発が促される。
【００３５】
また、ウォータシート１０６ａをガイド１０１ａからの熱風が最も当り易い箇所に取付けることで、より多くの熱風がウォータシート１０６ａに吹き当たる。そして、ウォータシート１０６ａに穴１０７を開けることで、熱風の通気性が向上する。
【００３６】
よって、より多くの熱風がウォータシート１０６ａに吹き当り、ウォータシート１０６ａ表面の高湿の空気をスムーズに排気するため、常にウォータシート１０６ａ表面をドレーン水１０８が蒸発し易い低湿の状態にすることができる。
【００３７】
以上のように、本実施の形態においては、ウォータシート１０６ａを圧縮機１０２上部及び側面に取付け、ウォータシート１０６ａを蒸発皿１０５の長手方向に沿って取付けることにより、ドレーン水１０８の温度を上昇させ、ウォータシート１０６ａ表面の湿度を下げることで、従来と同等以上の蒸発能力を確保しながら蒸発コイル６ｇを取り除くことができるので、冷却ユニットの構造がコンパクトになるだけでなく、蒸発コイル６ｇの分だけコストを下げることができる。そして、蒸発コイル６ｇの振動による騒音もなくすことができる。さらに、ガイド１０１ａにより蒸発皿１０５の位置が変わった場合、つまりより広範囲で以上の効果を実現できる。
【００３８】
また、本実施の形態では、図５より、蒸発皿１０５がコンデンサファン１０３からの風向方向にある場合、ガイド１０１ｂをコンデンサファン１０３上部から圧縮機１０２上部まで取付け、ガイド１０１ｂの先端が蒸発皿１０５の長手方向に沿った一端（圧縮機１０２から離れている一端）に向くようにしてもよい。この場合、コンデンサファン１０３からの風向き方向に蒸発皿１０５を設けているため、前例よりガイド１０１ｂがシンプルになっている。そうすることで、コンデンサファン１０３からの風は圧縮機１０２に吹き当り、高温となった圧縮機１０２表面から熱を奪い熱風となり、圧縮機１０２を吹き抜けた後、ガイド１０１ｂを沿いながら蒸発皿１０５の方向へ対流する。
【００３９】
そして、ウォータシート１０６ａ表面の水蒸気が取り除かれて付近の湿度が低くなり、さらにドレーン水１０８が熱風から熱を奪うことで水温が上昇する。よって、ドレーン水１０８の蒸発を促す。さらに、ガイド１０１ｂの形状がシンプルになるだけでなく、蒸発皿１０５がコンデンサファン１０３からの風向きと同一方向にあり、熱風を蒸発皿１０５に吹き当て易くなるために、より一層ドレーン水１０８の蒸発を促進できる。
【００４０】
また、本実施の形態では、図６より、ウォータシート１０６ｂを蒸発皿１０５の横方向に沿って一端からもう一端まで取り付ける。これを長手方向に沿って両端の間に等間隔に取り付ける。ここで、ウォータシート１０６ｂの間隔を等間隔だけに限定するのではなく、ウォータシート１０６ｂや蒸発皿１０５の寸法に従い間隔を変更してもよい。そうすることで、コンデンサファン１０３からの風向きと同一方向に風路ができ、ウォータシート１０６ｂ付近で熱風が滞留することなくスムーズに吹き抜ける。同時に、ウォータシート１０６ｂ表面の高湿の空気をスムーズに排気する。よって、ウォータシート１０６ｂ表面の高湿の空気を取り除き、常に低湿な状態にすることでより一層ドレーン水１０８の蒸発を促進できる。
【００４１】
また、図７より、ウォータシート１０６ｃの形状を山形にしても同様の効果が得られる。そして、蒸発部材を樹脂製の物、例えば吸水性に優れたスポンジにしても同様の効果が得られる。
【００４２】
（実施の形態２）
図８から図１１は、本発明の実施の形態２における自動販売機のドレーン水蒸発装置の蒸発部材の取付け図である。
【００４３】
図９は、同実施の形態の自動販売機のドレーン水蒸発装置の蒸発部材の取付け図の右側面図である。
【００４４】
図８、図９より、ウォータシート１０６ｄを蒸発皿１０５底面全体に接触するように、そして蒸発皿１０５の長手方向の側面に接触するように置き、ウォータシート支持部１０９付近で折り曲げる。そして、ウォータシート支持部１０９がウォータシート１０６ｄを支えるように、ウォータシート１０６ｄをウォータシート支持部１０９と同じ高さ又はそれ以上の高さまで取付ける。ここで、ウォータシート１０６ｄと蒸発皿１０５底面との接触する面積の大きさはこれに限定されるものでない。
【００４５】
ここで、ウォータシート１０６ｄの形状・材質は実施の形態１と同一であるので説明を省略する。
【００４６】
以上のように構成された自動販売機のドレーン水蒸発装置について、以下その動作、作用を説明する。
【００４７】
ウォータシート１０６ｄは、蒸発皿１０５の側面に接触するよう置かれているため、蒸発皿１０５の側面から反発力（図８、図９の点線矢印）を受け、ウォータシート支持部１０９の方向へ押圧力（図８、図９の実線矢印）を加える。
【００４８】
以上のように、本実施の形態においては、ウォータシート１０６ｄを、蒸発皿１０５の側面又はウォータシート支持部１０９の長手方向全体に押圧力がかかるように取付けたことにより、ウォータシート１０６ｄは蒸発皿１０５の側面から反発力を受け、ウォータシート支持部１０９の方向へ押圧力を加えるので、ウォータシート１０６ｄが倒れることによる熱風との接触面積減少を防止でき、常に一定の蒸発能力を確保できる。
【００４９】
また、図１０よりウォータシート１０６ｅの両端（蒸発皿１０５の長手方向に対する両端）を蒸発皿１０５底面に接触するように、そして蒸発皿１０５の長手方向の側面に接触するように置き、ウォータシート支持部１０９付近で折り曲げる。そして、ウォータシート支持部１０９がウォータシート１０６ｅを支えるように、ウォータシート１０６ｅをウォータシート支持部１０９と同じ高さ又はそれ以上の高さまで取付ける。
【００５０】
以上のように構成することでウォータシート１０６ｅと同様の動作・作用となり、より少量のウォータシート１０６ｅで同様の効果が得られるため、低コストでウォータシート１０６ｅが倒れることを防止できる。
【００５１】
また、図１１よりウォータシート１０６ｆの一端（蒸発皿１０５の長手方向に対する一端）を蒸発皿１０５底面に接触するように、そして蒸発皿１０５の長手方向の側面に接触するように置き、ウォータシート支持部１０９付近で折り曲げる。そして、ウォータシート支持部１０９がウォータシート１０６ｆを支えるように、ウォータシート１０６ｆをウォータシート支持部１０９と同じ高さ又はそれ以上の高さまで取付ける。
【００５２】
以上のように構成することでウォータシート１０６ｆの倒れ防止における動作・作用はウォータシート１０６ｄと同様となる。ここで、ウォータシート１０６ｆに沿って熱風が対流する。よって、ウォータシート１０６ｆが倒れることを防止できるだけでなく、効率的にウォータシート１０６ｆに吹き当たった熱風を排気することができる。
【００５３】
また、ウォータシート支持部１０９ではなく、蒸発皿１０５の長手方向の側面でも同様の効果が得られる。
【産業上の利用可能性】
【００５４】
以上のように、本発明にかかる自動販売機のドレーン水蒸発装置は、従来と同等以上の蒸発能力を確保しながら蒸発コイルを取り除くことができるので、冷却ユニットの構造がコンパクトになるだけでなく、蒸発コイルの分だけコストを下げることができる。さらに、蒸発コイルの振動による騒音もなくすことができる。よって、蒸発装置等の用途にも適用できる。
【図面の簡単な説明】
【００５５】
【図１】本発明の実施の形態１における自動販売機のドレーン水蒸発装置の構成図
【図２】同実施の形態の自動販売機のドレーン水蒸発装置の構成図の右側面図
【図３】同実施の形態の自動販売機のドレーン水蒸発装置の風路規制部と蒸発皿との位置関係図
【図４】同実施の形態の自動販売機のドレーン水蒸発装置の蒸発部材の外形図
【図５】同実施の形態の自動販売機のドレーン水蒸発装置の構成図
【図６】同実施の形態の自動販売機のドレーン水蒸発装置の蒸発部材の取付け図
【図７】同実施の形態の自動販売機のドレーン水蒸発装置の蒸発部材の外形図
【図８】本発明の実施の形態２における自動販売機のドレーン水蒸発装置の蒸発部材の取付け図
【図９】同実施の形態の自動販売機のドレーン水蒸発装置の蒸発部材の取付け図の右側面図
【図１０】同実施の形態の自動販売機のドレーン水蒸発装置の蒸発部材の取付け図
【図１１】同実施の形態の自動販売機のドレーン水蒸発装置の蒸発部材の取付け図
【図１２】従来の自動販売機のドレーン水蒸発装置の構成図
【符号の説明】
【００５６】
１０１ａ、１０１ｂ  ガイド（風路規制部）
１０２  圧縮機
１０３  コンデンサファン
１０５  蒸発皿
１０６ａ，１０６ｂ，１０６ｃ，１０６ｄ，１０６ｅ，１０６ｆ  ウォータシート（蒸発部材）
１０７  穴
１０８  ドレーン水
１０９  ウォータシート支持部
【図２】
2008217551.tif 000003
【図３】
2008217551.tif 000004
【図４】
2008217551.tif 000005
【図７】
2008217551.tif 000006
【図１２】
2008217551.tif 000007
【図１】
2008217551.tif 000008
【図５】
2008217551.tif 000009
【図６】
2008217551.tif 000010
【図８】
2008217551.tif 000011
【図９】
2008217551.tif 000012
【図１０】
2008217551.tif 000013
【図１１】
2008217551.tif 000014